(57)【要約】【課題】簡単に勾配の角度調整ができる勾配設定治具及び勾配設定方法を得る。【解決手段】勾配設定治具１０は、複数の小梁受け駒１４と、一対の小梁支持部材１６と、一対の高さ設定部材３４と、を備えており、小梁支持部材１６の長手方向の両端部にそれぞれ設けられた一対の高さ設定部材３４、３６によって、小梁支持部材１６の長手方向の一端部と他端部とで、小梁支持部材１６の高さを変えることができる。これにより、小梁支持部材１６の勾配角度を変え、当該小梁支持部材１６に支持される複数の小梁１２において、高さ方向の位置を変え、当該複数の小梁１２によっていわゆる水勾配を設けることができる。【選択図】図１
2019127773.tif 000002
【特許請求の範囲】
【請求項１】
小梁の側面を保持する保持部と、前記保持部に保持された小梁を載置可能な受け部と、を含んで構成され、前記小梁の配列に沿って設けられた複数の小梁受け駒と、
複数の前記小梁の長手方向の両端部を下方側からそれぞれ支持する一対の小梁支持部材と、
前記小梁支持部材の長手方向の両端部にそれぞれ設けられ、当該小梁支持部材の高さをそれぞれ調整可能な一対の高さ設定手段と、
を有する勾配設定治具。
【請求項２】
前記高さ設定手段は、
高さ方向に沿って延在されると共に、高さ方向に沿って複数の位置決め穴が設けられた高さ設定部材と、
前記位置決め穴に係合されると共に、前記小梁支持部材の長手方向の両端部に形成された長穴部が係合されるピンと、
を含んで構成されている請求項１に記載の勾配設定治具。
【請求項３】
請求項１に記載の前記一対の高さ設定手段によって、請求項１に記載の前記一対の小梁支持部材の高さをそれぞれ設定する第１工程と、
請求項１に記載の前記複数の小梁受け駒でそれぞれ前記小梁を保持すると共に、高さがそれぞれ設定された一対の小梁支持部材によって、複数の前記小梁の長手方向の両端部を下方側からそれぞれ支持させる第２工程と、
を有する勾配設定方法。
【請求項４】
長手方向の両端面が正面視で逆Ｌ字状を成し、前記一対の小梁支持部材によってそれぞれ支持された複数の小梁の長手方向の端面がそれぞれ接触するＬアングルを備え、
前記複数の小梁の長手方向の端面と前記Ｌアングルの接触面とをそれぞれ溶接する第３工程をさらに有する請求項３に記載の勾配設定方法。
【発明の詳細な説明】
【技術分野】
【０００１】
本発明は、勾配設定治具及び勾配設定方法に関する。
【背景技術】
【０００２】
特許文献１には、屋根がわずかに傾斜したフラットルーフを形成させる勾配梁に関する技術が開示されている。この先行技術では、勾配梁が、薄い亜鉛引き鉄板を断面略コ字状に折り曲げて長手方向に１／２００の勾配となるように形成されると共に、両端縁には水平フランジが設けられ、水平フランジを介して屋根下地材に固定されるようになっている。
【先行技術文献】
【特許文献】
【０００３】
【特許文献１】特開平４−３４３９５７号公報
【発明の概要】
【発明が解決しようとする課題】
【０００４】
しかしながら、上記先行技術では、勾配梁は、長手方向に１／２００の勾配となるように予め形成されているため、１／２００以外の勾配の角度調整は困難である。
【０００５】
本発明は上記事実に鑑みてなされたものであり、簡単に勾配の角度調整ができる勾配設定治具及び勾配設定方法を提供することを目的とする。
【課題を解決するための手段】
【０００６】
上記目的を達成するための第１の態様は、勾配設定治具において、小梁の側面を保持する保持部と、前記保持部に保持された小梁を載置可能な受け部と、を含んで構成され、前記小梁の配列に沿って設けられた複数の小梁受け駒と、複数の前記小梁の長手方向の両端部を下方側からそれぞれ支持する一対の小梁支持部材と、前記小梁支持部材の長手方向の両端部にそれぞれ設けられ、当該小梁支持部材の高さをそれぞれ調整可能な一対の高さ設定手段と、を有している。
【０００７】
第１の態様では、勾配設定治具は、複数の小梁受け駒と、一対の小梁支持部材と、一対の高さ設定手段と、を備えている。小梁受け駒は、保持部及び受け部を含んで構成されており、小梁の側面は保持部によって保持されるようになっており、保持部によって保持された小梁は、受け部によって載置可能とされている。また、小梁の長手方向の両端部は、一対の小梁支持部材によってそれぞれ下方側から支持可能とされている。小梁支持部材の長手方向の両端部には、一対の高さ設定手段がそれぞれ設けられており、当該小梁支持部材の高さはそれぞれ調整可能とされている。
【０００８】
すなわち、小梁支持部材の長手方向の両端部にそれぞれ設けられた一対の高さ設定手段によって、小梁支持部材の長手方向の一端部と他端部とで、小梁支持部材の高さを変えることができる。これにより、小梁支持部材の勾配角度を変え、当該小梁支持部材に支持される複数の小梁において、高さ方向の位置を変え、当該複数の小梁によっていわゆる水勾配を設けることができる。
【０００９】
第２の態様は、第１の態様において、前記高さ設定手段は、高さ方向に沿って延在されると共に、高さ方向に沿って複数の位置決め穴が設けられた高さ設定部材と、前記位置決め穴に係合されると共に、前記小梁支持部材の長手方向の両端部に形成された長穴部が係合されるピンと、を含んで構成されている。
【００１０】
第２の態様では、高さ設定手段は、一対の高さ設定部材及び一対のピンを含んで構成されている。一対の高さ設定部材は、高さ方向に沿ってそれぞれ延在されており、当該高さ設定部材には、高さ方向に沿って位置決め穴がそれぞれ複数設けられている。一対の位置決め穴には、一対のピンがそれぞれ係合可能とされており、当該一対のピンには、小梁支持部材の長手方向の両端部に形成された長穴部がそれぞれ係合されるようになっている。
【００１１】
すなわち、一対の高さ設定部材の位置決め穴に一対のピンをそれぞれ係合させることにより、当該一対のピンが高さ方向でそれぞれ位置決めされる。そして、小梁支持部材の長手方向の両端部に形成された一対の長穴部を当該一対のピンにそれぞれ係合させることにより、小梁支持部材の長手方向の両端部において、それぞれ高さが設定されることとなる。
【００１２】
第３の態様は、勾配設定方法において、第１の態様の前記一対の高さ設定手段によって、第１の態様の前記一対の小梁支持部材の高さをそれぞれ設定する第１工程と、第１の態様の前記複数の小梁受け駒でそれぞれ前記小梁を保持すると共に、高さがそれぞれ設定された一対の小梁支持部材によって、複数の前記小梁の長手方向の両端部を下方側からそれぞれ支持させる第２工程と、を有している。
【００１３】
第３の態様では、第１工程において、一対の小梁支持部材の高さがそれぞれ設定され、第２工程において、複数の小梁受け駒でそれぞれ小梁を保持すると共に、それぞれ高さが設定された一対の小梁支持部材によって、複数の小梁の長手方向の両端部を下方側からそれぞれ支持させる。
【００１４】
すなわち、第１工程において、高さが設定された一対の小梁支持部材に対して、第２工程において、複数の小梁受け駒及び高さが設定された一対の小梁支持部材に複数の小梁を載せるだけで、当該複数の小梁は側面が保持されると共に高さ方向の位置が設定されることとなる。
【００１５】
第４の態様は、第３の態様において、長手方向の両端面が正面視で逆Ｌ字状を成し、前記一対の小梁支持部材によってそれぞれ支持された複数の小梁の長手方向の端面がそれぞれ接触するＬアングルを備え、前記複数の小梁の長手方向の端面と前記Ｌアングルの接触面とをそれぞれ溶接する第３工程をさらに有している。
【００１６】
第４の態様では、長手方向の両端面が正面視でＬ字状を成すＬアングルを備えており、当該Ｌアングルには、一対の小梁支持部材によってそれぞれ支持された複数の小梁の長手方向の端面がそれぞれ接触するようになっている。そして、第３工程において、複数の小梁の長手方向の端面と当該Ｌアングルの接触面とがそれぞれ溶接される。
【発明の効果】
【００１７】
以上説明したように、本態様によれば、簡単に勾配の角度調整ができる、という効果が得られる。
【図面の簡単な説明】
【００１８】
【図１】本実施の形態に係る勾配設定治具の構成及びＬアングルを示す分解斜視図である。
【図２】本実施の形態に係る勾配設定治具の構成及びＬアングルを示す斜視図である。
【図３】本実施の形態に係る勾配設定治具の構成を示す斜視図である。
【図４】本実施の形態に係る勾配設定治具の外側に一対のＬアングルが配置された状態を示す斜視図である。
【図５】本実施の形態に係る勾配設定治具で複数の小梁の高さ方向の位置を設定する状態を示す斜視図である。
【図６】本実施の形態に係る勾配設定治具で高さ方向の位置を設定された複数の小梁をＬアングルに溶接して形成されたルーフフレームを示す斜視図である。
【図７】（Ａ）は、本実施の形態に係る勾配設定治具で高さ方向の位置を設定された複数の小梁をＬアングルに溶接して形成されたルーフフレームをクレーンで吊り上げた状態を示す斜視図であり、（Ｂ）は、当該ルーフフレームが建物ユニットの屋根部に固定された状態を示す斜視図である。
【図８】（Ａ）は、本実施の形態に係る勾配設定治具によって、矢印Ｂに沿って水勾配を設ける場合の小梁と小梁受け駒の高さ方向の位置関係を示す側面図であり、（Ｂ）は、（Ａ）における図中右側の小梁及び小梁受け駒を拡大した一部拡大側面図である。
【図９】（Ａ）は、本実施の形態に係る勾配設定治具によって、矢印Ｂに沿って水勾配を設ける場合の小梁の高さ方向の位置関係を示す模式図であり、（Ｂ）は、（Ａ）の変形例である。
【図１０】比較例であり、図８（Ａ）に対応する側面図である。
【発明を実施するための形態】
【００１９】
一般に、建物の屋根部には、排水性を確保するため水勾配が設けられており、ユニット式住宅における陸屋根では、隣り合う小梁同士の高さを変えることで水勾配が設けられるように設定されている。本発明は、この水勾配を設けるために用いられる勾配設定治具、この治具を用いて建てた建物及び勾配設定方法についてである。
【００２０】
以下、図面を参照して、本発明の実施の形態に係る勾配設定治具について説明する。
（勾配設定治具の構成）
【００２１】
図１には、本発明の実施の形態に係る勾配設定治具１０の分解斜視図が示されており、図２には、当該勾配設定治具１０の斜視図が示されている。図１、図２に示されるように、本実施形態では、当該勾配設定治具１０は、小梁１２を載せる小梁受け駒１４と、小梁１２の長手方向の両端部を支持する小梁支持部材１６と、を含んで構成されており、小梁支持部材１６には、一対の高さ設定部材（高さ設定手段）１８が設けられている。
【００２２】
小梁受け駒１４は、図１の矢印Ａ方向から見た側面視で、小梁受け駒１４の上部を構成し上方が開口された略Ｕ字状の支持部２０と、小梁受け駒１４の下部を構成し直方体状を成す台座２１と、を含んで構成されている。支持部２０は、下壁部（以下、「受け部」という）２２と、当該受け部２２の両端から立設し互いに対向する一対の側壁部（以下、「保持部」という）２４と、を含んで構成されており、支持部２０内には小梁１２が挿入可能とされている。
【００２３】
当該支持部２０内に小梁１２が挿入された状態で、小梁１２の側面１２Ａは、保持部２４に当接可能とされ、当該保持部２４に保持され、小梁１２の長手方向に対して直交する幅方向に沿った移動が規制される。なお、小梁受け駒１４は、複数の小梁１２のピッチに合わせてそれぞれ配置されている。また、ここでは、一つの小梁１２に対して、二つの小梁受け駒１４が設けられているが、小梁受け駒１４は一つであってもよい。
【００２４】
一方、小梁支持部材１６は、矩形長板状を成しており、小梁１２の長手方向の両端部の外側に位置して、複数の小梁１２の幅方向に沿った方向が長手方向となるように配置される。小梁支持部材１６の長手方向の両端部には、小梁支持部材１６の長手方向に沿って長穴部２６、２８がそれぞれ形成されている。この長穴部２６、２８には、円柱状のピン（高さ設定手段）３０、３２の一端部がそれぞれ係合可能とされている。なお、ピン３０、３２の他端部は、高さ設定部材３４、３６にそれぞれ係合可能とされている。
【００２５】
ここで、高さ設定部材３４、３６は矩形長板状を成しており、高さ方向に沿った方向が長手方向となるようにそれぞれ配置されている。高さ設定部材３４には、高さ方向に沿って複数の位置決め穴３８（３８Ａ、３８Ｂ、３８Ｃ、３８Ｄ、３８Ｅ；ここでは、５個）が形成されており、高さ設定部材３６には、高さ方向に沿って複数の位置決め穴４０（４０Ａ、４０Ｂ、４０Ｃ、４０Ｄ、４０Ｅ；ここでは、５個）が形成されている。
【００２６】
位置決め穴３８Ａ、３８Ｂ、３８Ｃ、３８Ｄ、３８Ｅは、高さ設定部材３４の高さ方向に沿って形成された溝部４２によって互いに繋がっており、位置決め穴４０Ａ、４０Ｂ、４０Ｃ、４０Ｄ、４０Ｅは、高さ設定部材３６の高さ方向に沿って形成された溝部４４によって互いに繋がっている。
【００２７】
そして、ピン３０、３２が、位置決め穴３８、４０にそれぞれ係合されると共に、小梁支持部材１６の長穴部２６、２８にそれぞれ係合された状態で、小梁支持部材１６の高さ方向の位置が設定される。この小梁支持部材１６の上端面１６Ａには、小梁１２が載置可能とされており、小梁支持部材１６の上端面１６Ａに小梁１２が載置された状態で、小梁１２は小梁支持部材１６によって下方側から支持されることとなる。
【００２８】
なお、本実施形態では、高さ設定部材３４、３６にそれぞれ溝部４２、４４が形成され、複数の位置決め穴３８、４０が当該溝部４２、４４を介して、互いに繋がるように形成されているが、ピン３０、３２の高さを設定することができれば良いため、これに限るものではない。例えば、図示はしないが、複数の位置決め穴３８、４０がそれぞれ独立した状態で形成されてもよい。
【００２９】
ところで、小梁支持部材１６における小梁１２の長手方向の両端部の外側（勾配設定治具１０の外側）には、小梁１２の長手方向の両端部が溶接されるＬアングル４６が、当該小梁支持部材１６と略平行となるように配置されている。
【００３０】
このＬアングル４６は、長手方向の両端面が正面視で逆Ｌ字状を成しており、略矩形状の固定部に固定されるようになっている。Ｌアングル４６は、上壁４６Ａと側壁４６Ｂとで構成されており、上壁４６Ａが略水平方向に沿って配置される。側壁４６Ｂは、小梁支持部材１６と対向し、小梁１２の長手方向の端面１２Ｂと接触可能となるように配置されている。
【００３１】
なお、Ｌアングル４６の上壁４６Ａは、側壁４６Ｂの上端において、小梁支持部材１６から離間する方向へ向かって屈曲している。また、ここでは、一対のＬアングル４６は、それぞれ一本で形成されているが、他の部材との干渉やＬアングル４６自体の長さによっては、二本で形成されてもよい。
【００３２】
（勾配設定方法）
ここで、本実施の形態に係る勾配設定治具１０を用いて勾配を設定する勾配設定方法について説明する。
【００３３】
図３に示されるように、例えば、高さ設定部材３４に形成された位置決め穴３８Ｃにピン３０を係合させ、高さ設定部材３６に形成された位置決め穴４０Ｂにピン３２を係合させる。また、小梁支持部材１６の長穴部２６にピン３０を係合させ、小梁支持部材１６の長穴部２８にピン３２を係合させる。この状態で、小梁支持部材１６は、高さ方向の位置が設定される（第１工程）。ここでは、小梁支持部材１６は、図中、左側に向かうにつれて下方側へ向かって傾斜している。
【００３４】
なお、本実施形態では、小梁支持部材１６の高さ方向の位置を設定することができればよいため、高さ設定部材３４、３６及び小梁支持部材１６に対して、ピン３０、３２を係合させる順番は特に問われるものではない。例えば、小梁支持部材１６の長穴部２６にピン３０を係合させ、小梁支持部材１６の長穴部２８にピン３２を係合させた状態で、高さ設定部材３４に形成された位置決め穴３８Ｃにピン３０を係合させ、高さ設定部材３６に形成された位置決め穴４０Ｂにピン３２を係合させてもよい。
【００３５】
以上のように、小梁支持部材１６の高さ方向の位置が設定されると、小梁支持部材１６の上端面１６Ａには、小梁１２が載置可能とされる。小梁支持部材１６は、小梁１２の長手方向の両端側にそれぞれ配置されており、一対の小梁支持部材１６によって小梁１２が下方側から支持されることとなる（第２工程）。
【００３６】
一方、一対の小梁支持部材１６間には、一つの小梁１２に対して、当該小梁１２の長手方向に沿って二つの小梁受け駒１４が設けられている。このため、小梁１２を小梁受け駒１４の支持部２０内に挿入させた状態で、当該小梁１２一対の小梁支持部材１６の上端面１６Ａに載置させる。これにより、小梁１２の側面１２Ａは、支持部２０の保持部２４に保持されることとなる（第２工程）。
【００３７】
なお、図８（Ａ）、（Ｂ）に示されるように、小梁支持部材１６の勾配角度によっては、小梁１２の下面１２Ｃは、支持部２０の受け部２２に当接しない場合もある。ここで、図８（Ａ）は、矢印Ｂに沿って水勾配を設ける場合の小梁１２と小梁受け駒１４の高さ方向の位置関係を示す側面図であり、図８（Ｂ）は、図８（Ａ）における図中右側の小梁１２及び小梁受け駒１４を拡大した一部拡大側面図である。
【００３８】
図８（Ａ）に示されるように、小梁支持部材１６は、左側に向かうにつれて下方側へ向かって傾斜しているため、一対の小梁支持部材１６の上端面１６Ａに複数の小梁１２を載置させた状態で、複数の小梁１２の高さ方向の位置は、図中、左側に向かうにつれて低くなっている。
【００３９】
ここで、図２に示されるように、勾配設定治具１０の外側（小梁１２の長手方向の両端部の外側）には、図示しない固定部に固定されてＬアングル４６が設けられている。図４には、一対のＬアングル４６が互いに対向して配置された図が示されている。なお、ここでは図示はしていないが、一対のＬアングル４６の間には、図３に示す勾配設定治具１０が配置されている（図２参照）。
【００４０】
図２に示されるように、Ｌアングル４６は、上壁４６Ａが略水平方向に沿って配置されるようになっている。前述のように、Ｌアングル４６の側壁４６Ｂは、小梁支持部材１６と対向し、小梁１２の長手方向の端面１２Ｂと接触可能となるように配置されている。このため、複数の小梁１２が一対の小梁支持部材１６の上端面１６Ａに載置された状態で、当該複数の小梁１２の高さ方向の位置は、Ｌアングル４６に対して、図５に示されるように、左側に向かうにつれて低くなるように設定される。
【００４１】
この状態で、図６に示されるように、小梁１２の長手方向の両端をそれぞれＬアングル４６に溶接して一体化させる（ルーフフレーム４８）。これにより、複数の小梁１２が当該小梁１２の配列方向に沿って傾斜した状態で配置され、ルーフフレーム４８において、いわゆる水勾配を設けることが可能となる。
【００４２】
そして、図７（Ａ）に示されるように、このルーフフレーム４８をクレーン５０で吊り上げ、ルーフフレーム４８を勾配設定治具１０（図３参照）から取り外して、図７（Ｂ）に示されるように、建物ユニット５２の屋根部５４に載置させる。
【００４３】
（勾配設定治具による作用及び効果）
次に、本実施の形態に係る勾配設定治具１０による作用及び効果について説明する。
【００４４】
図１、図２に示されるように、本実施形態では、勾配設定治具１０は、複数の小梁受け駒１４と、一対の小梁支持部材１６と、一対の高さ設定部材３４と、を備えている。小梁受け駒１４は、受け部２２及び保持部２４を含んで構成されており、受け部２２に載せられた小梁１２の側面１２Ａは保持部２４によって保持されるようになっている。
【００４５】
また、小梁１２の長手方向の両端部は、一対の小梁支持部材１６によってそれぞれ下方側から支持可能とされている。小梁支持部材１６の長手方向の両端部には、一対の高さ設定部材３４、３６がそれぞれ設けられており、当該小梁支持部材１６の高さはそれぞれ調整可能とされている。
【００４６】
すなわち、小梁支持部材１６の長手方向の両端部にそれぞれ設けられた一対の高さ設定部材３４、３６によって、小梁支持部材１６の長手方向の一端部と他端部とで、小梁支持部材１６の高さを変えることができる。これにより、小梁支持部材１６の勾配角度を変え、当該小梁支持部材１６に支持される複数の小梁１２において、高さ方向の位置を変え、当該複数の小梁１２によっていわゆる水勾配を設けることができる。
【００４７】
ここで、高さ設定部材３４、３６には、高さ方向に沿って位置決め穴３８、４０がそれぞれ複数設けられている。位置決め穴３８、４０には、ピン３０、３２がそれぞれ係合可能とされており、当該ピン３０、３２には、小梁支持部材１６の長手方向の両端部に形成された長穴部２６、２８がそれぞれ係合されるようになっている。
【００４８】
すなわち、高さ設定部材３４、３６の位置決め穴３８、４０にピン３０、３２をそれぞれ係合させることにより、当該ピン３０、３２が高さ方向でそれぞれ位置決めされる。そして、小梁支持部材１６の長手方向の両端部に形成された長穴部２６、２８を当該ピン３０、３２にそれぞれ係合させることにより、小梁支持部材１６の長手方向の両端部において、それぞれ高さが設定されることとなる。
【００４９】
このように、本実施形態では、勾配設定治具１０を用いて、複数の小梁１２の高さが設定されることで、図７（Ｂ）に示す建物ユニット５２の屋根部５４において、簡単に勾配の角度調整ができ、水勾配の角度設定の自由度が上がる。
【００５０】
また、本実施形態では、図１、図２に示されるように、第１工程において、小梁支持部材１６の高さが設定され、第２工程において、複数の小梁受け駒１４でそれぞれ小梁１２を保持すると共に、高さが設定された小梁支持部材１６によって、複数の小梁１２の長手方向の両端部を下方側からそれぞれ支持させる。
【００５１】
すなわち、第１工程において、高さが設定された小梁支持部材１６に対して、第２工程において、複数の小梁受け駒１４及び高さが設定された一対の小梁支持部材１６に複数の小梁１２を載せるだけで、当該複数の小梁１２は、その側面１２Ａが保持されると共に高さ方向の位置が設定されるため、複数の小梁１２による水勾配の角度設定が容易である。
【００５２】
さらに、本実施形態では、Ｌアングル４６には、小梁支持部材１６に支持された複数の小梁１２の長手方向の端面１２Ｂがそれぞれ接触するようになっており、小梁支持部材１６によって複数の小梁１２が支持された状態で、第３工程において、当該複数の小梁１２の長手方向の端面１２Ｂと当該Ｌアングル４６の接触面４６Ｂ１をそれぞれ溶接する。これにより、ルーフフレーム４８が形成される（図６参照）。
【００５３】
本実施形態では、図１、図２に示されるように、小梁受け駒１４は、受け部２２及び保持部２４を含んで構成されており、受け部２２に載せられた小梁１２の側面１２Ａは保持部２４によって保持されるようになっている。一方、小梁１２は、小梁支持部材１６の上端面１６Ａに載置された状態で、小梁支持部材１６によって下方側から支持されている。
【００５４】
例えば、比較例として、図１０に示されるように、小梁受け駒１００の受け部１０２に小梁１０４を載置させることによって、小梁１０４の高さ方向の位置を設定する場合、受け部１０２の上にブロック１０６を載置させた状態で嵩上げする必要がある。
【００５５】
つまり、比較例では、小梁１０４の高さ方向の位置に合わせて板厚の異なるブロック１０６（１０６Ａ、１０６Ｂ、１０６Ｃ、１０６Ｄ、１０６Ｅ）が必要となる。そして、これらのブロック１０６を小梁１０４の高さに合わせて受け部１０２の上に載置させるため、作業工数が増え、その分コストが掛かってしまう。
【００５６】
これに対して、本実施形態では、図８（Ａ）に示されるように、高さが設定された小梁支持部材１６の上に複数の小梁１２を載せるだけで、小梁１２の高さ方向の位置が設定されるため、複数の小梁１２による水勾配の角度設定を容易に行うことができる。つまり、その分、作業工数は削減され、コストダウンを図ることができる。
【００５７】
なお、本実施形態では、一つの建物ユニット５２（図７（Ｂ）参照）において、ルーフフレーム４８（図６参照）における複数の小梁１２の高さ方向の位置について、図９（Ａ）に示されるように、左側に向かうにつれて低くなるように設定したが、これに限るものではない。
【００５８】
例えば、図示はしないが、複数の小梁１２の高さ方向の位置が、右側に向かうにつれて低くなるように設定してもよい。さらに、図９（Ｂ）に示されるように、一つの建物ユニット５２において、長手方向の中央部を頂部Ｐとして、長手方向の端部側へ向かうにつれて複数の小梁１２の高さ方向の位置が低くなるように設定されてもよい。
【００５９】
また、本実施形態では、高さ設定手段が高さ設定部材３４、３６と、ピン３０、３２と、を含んで構成されているが、小梁支持部材１６の長手方向の両端部でそれぞれ高さ方向の位置を設定することができればよいため、これに限るものではない。
【００６０】
例えば、図示はしないが、一方の部材に対して他方の部材が高さ方向に沿ってそれぞれスライドできるようになっており、当該他方の部材に小梁支持部材１６の長手方向の両端部がそれぞれ係合できるようになっていてもよい。
【００６１】
また、ここでは、高さ設定部材３４、３６には、複数の位置決め穴３８、４０が形成されており、自由に組み合わせることができるため、小梁支持部材１６において、勾配角度を自由に調整することができる。このため、当該ルーフフレーム４８において、例えば、陸屋根や北側斜線など勾配屋根に限らず、ベランダにおいても適用可能となる。
【００６２】
さらに、以上説明した本実施の形態の構成は一例であり、本発明は、上記に限定されるものでなく、上記以外にも、その主旨を逸脱しない範囲内において種々変形して実施可能であることは勿論である。
【符号の説明】
【００６３】
１０      勾配設定治具
１２      小梁
１２Ａ    側面（小梁の側面）
１４      小梁受け駒
１６      小梁支持部材
２２      受け部（小梁受け駒）
２４      保持部（小梁受け駒）
２６      長穴部
２８      長穴部
３０      ピン（高さ設定手段）
３２      ピン（高さ設定手段）
３４      高さ設定部材（高さ設定手段）
３６      高さ設定部材（高さ設定手段）
３８      位置決め穴
４０      位置決め穴
４６Ｂ１  接触面
４８      ルーフフレーム
５２      建物ユニット
５４      屋根部
【図１】
2019127773.tif 000003
【図２】
2019127773.tif 000004
【図３】
2019127773.tif 000005
【図４】
2019127773.tif 000006
【図５】
2019127773.tif 000007
【図６】
2019127773.tif 000008
【図７】
2019127773.tif 000009
【図８】
2019127773.tif 000010
【図９】
2019127773.tif 000011
【図１０】
2019127773.tif 000012